(57)【要約】【課題】コンクリート打設箇所の外側周辺に配筋された鉄筋に、コンクリートが付着することを防止する鉄筋の養生方法、養生装置および鉄筋コンクリートの施工方法を提供する。【解決手段】コンクリート打設箇所Ａの外側周辺に配筋された鉄筋１０に、コンクリート打設によるコンクリートが付着することを防止するための養生方法であって、コンクリート打設前に、鉄筋１０の周囲にコンクリートの付着を防ぐための養生装置１４を設置するステップと、鉄筋１０の周囲に養生装置１４が設置された状態で、コンクリート打設箇所Ａにコンクリートを打設するステップと、コンクリート打設後に、鉄筋１０の周囲から養生装置１４を撤去するステップとを備えるようにする。【選択図】図１
2019151992.tif 000002
【特許請求の範囲】
【請求項１】
コンクリート打設箇所の外側周辺に配筋された鉄筋に、コンクリート打設によるコンクリートが付着することを防止するための養生方法であって、
コンクリート打設前に、鉄筋の周囲にコンクリートの付着を防ぐための養生装置を設置するステップと、鉄筋の周囲に養生装置が設置された状態で、コンクリート打設箇所にコンクリートを打設するステップと、コンクリート打設後に、鉄筋の周囲から養生装置を撤去するステップとを備えることを特徴とする鉄筋の養生方法。
【請求項２】
コンクリート打設箇所の外側周辺に配筋された鉄筋に、コンクリート打設によるコンクリートが付着することを防止するための養生装置であって、
鉄筋の周方向に複数に分割されていて鉄筋の周囲に筒状に組み付けられる養生カバーからなることを特徴とする鉄筋の養生装置。
【請求項３】
請求項１に記載の鉄筋の養生方法を用いて鉄筋コンクリートを施工する方法であって、
コンクリート打設箇所の外側周辺に配筋された鉄筋の周囲に養生装置を設置するステップと、鉄筋の周囲に養生装置が設置された状態で、コンクリート打設箇所にコンクリートを打設するステップと、コンクリート打設後に、鉄筋の周囲から養生装置を撤去するステップと、養生装置が撤去された鉄筋の周囲を新たなコンクリート打設箇所としてコンクリートを打設するステップとを備えることを特徴とする鉄筋コンクリートの施工方法。
【発明の詳細な説明】
【技術分野】
【０００１】
本発明は、コンクリート打設箇所の周辺に配筋された鉄筋の養生方法、養生装置および鉄筋コンクリートの施工方法に関するものである。
【背景技術】
【０００２】
従来、ラーメン高架橋の地中梁や橋脚の基礎、中間柱などの構造物を施工する場合には、構造物の構築予定箇所に鉄筋を配筋した後、コンクリートを複数のブロックに分けて打設する作業を行っている（例えば、特許文献１、２を参照）。
【０００３】
図３は、コンクリート打設ブロック割の一例である。図３（１）に示すように、ラーメン高架橋は、地盤面ＧＬ下の地中梁２、柱３、梁・スラブ４からなる。図中の符号１は場所打ちコンクリート杭、符号５は地覆である。また図３（２）に示すように、橋脚は、フーチング６、下部躯体柱７、上部躯体柱８、梁９からなる。これらの構造物は、コンクリートを下から上に複数層に分けて打設することによって施工される。
【先行技術文献】
【特許文献】
【０００４】
【特許文献１】特開２０００−２９０９３６号公報
【特許文献２】特開２０１１−０３２７８１号公報
【発明の概要】
【発明が解決しようとする課題】
【０００５】
ところで、例えば橋脚の躯体柱などのコンクリートを下から上に複数層に分けて打設する際に、下層側の打設領域の上方に配筋されている上層側の鉄筋に、はね返りのコンクリートが付着することがあった。鉄筋に付着したコンクリートは、後で打設する上層側コンクリートの脆弱部の要因となることから、上層側を打設する際に作業員がブラシを使用して除去清掃していた。
【０００６】
しかし、１回の清掃で付着コンクリートのセメント分を除去できない場合があり、除去不良箇所に対して再度ブラシを使用して除去していた。このようなやり方では、清掃手間が増大して作業コストが嵩み、工期が長期化するおそれがある。このため、コンクリート打設箇所の外側周辺に配筋された鉄筋に、コンクリートが付着することを防止することのできる技術が求められていた。
【０００７】
本発明は、上記に鑑みてなされたものであって、コンクリート打設箇所の外側周辺に配筋された鉄筋に、コンクリートが付着することを防止する鉄筋の養生方法、養生装置および鉄筋コンクリートの施工方法を提供することを目的とする。
【課題を解決するための手段】
【０００８】
上記した課題を解決し、目的を達成するために、本発明に係る鉄筋の養生方法は、コンクリート打設箇所の外側周辺に配筋された鉄筋に、コンクリート打設によるコンクリートが付着することを防止するための養生方法であって、コンクリート打設前に、鉄筋の周囲にコンクリートの付着を防ぐための養生装置を設置するステップと、鉄筋の周囲に養生装置が設置された状態で、コンクリート打設箇所にコンクリートを打設するステップと、コンクリート打設後に、鉄筋の周囲から養生装置を撤去するステップとを備えることを特徴とする。
【０００９】
また、本発明に係る鉄筋の養生装置は、コンクリート打設箇所の外側周辺に配筋された鉄筋に、コンクリート打設によるコンクリートが付着することを防止するための養生装置であって、鉄筋の周方向に複数に分割されていて鉄筋の周囲に筒状に組み付けられる養生カバーからなることを特徴とする。
【００１０】
また、本発明に係る鉄筋コンクリートの施工方法は、上述した鉄筋の養生方法を用いて鉄筋コンクリートを施工する方法であって、コンクリート打設箇所の外側周辺に配筋された鉄筋の周囲に養生装置を設置するステップと、鉄筋の周囲に養生装置が設置された状態で、コンクリート打設箇所にコンクリートを打設するステップと、コンクリート打設後に、鉄筋の周囲から養生装置を撤去するステップと、養生装置が撤去された鉄筋の周囲を新たなコンクリート打設箇所としてコンクリートを打設するステップとを備えることを特徴とする。
【発明の効果】
【００１１】
本発明に係る鉄筋の養生方法によれば、コンクリート打設箇所の外側周辺に配筋された鉄筋に、コンクリート打設によるコンクリートが付着することを防止するための養生方法であって、コンクリート打設前に、鉄筋の周囲にコンクリートの付着を防ぐための養生装置を設置するステップと、鉄筋の周囲に養生装置が設置された状態で、コンクリート打設箇所にコンクリートを打設するステップと、コンクリート打設後に、鉄筋の周囲から養生装置を撤去するステップとを備えるので、コンクリート打設箇所の外側周辺に配筋された鉄筋に、コンクリート打設時のコンクリートが付着することを防止することができるという効果を奏する。
【００１２】
また、本発明に係る鉄筋の養生装置によれば、コンクリート打設箇所の外側周辺に配筋された鉄筋に、コンクリート打設によるコンクリートが付着することを防止するための養生装置であって、鉄筋の周方向に複数に分割されていて鉄筋の周囲に筒状に組み付けられる養生カバーからなるので、コンクリート打設箇所の外側周辺に配筋された鉄筋に、コンクリート打設時のコンクリートが付着することを防止することができるという効果を奏する。
【００１３】
また、本発明に係る鉄筋コンクリートの施工方法によれば、上述した鉄筋の養生方法を用いて鉄筋コンクリートを施工する方法であって、コンクリート打設箇所の外側周辺に配筋された鉄筋の周囲に養生装置を設置するステップと、鉄筋の周囲に養生装置が設置された状態で、コンクリート打設箇所にコンクリートを打設するステップと、コンクリート打設後に、鉄筋の周囲から養生装置を撤去するステップと、養生装置が撤去された鉄筋の周囲を新たなコンクリート打設箇所としてコンクリートを打設するステップとを備えるので、コンクリート打設箇所の外側周辺に配筋された鉄筋に、コンクリート打設時のコンクリートが付着しない。付着コンクリートによる脆弱部が発生しないため、後工程で鉄筋の周囲に打設されるコンクリートの品質を確保することができるという効果を奏する。
【図面の簡単な説明】
【００１４】
【図１】図１は、本発明に係る鉄筋の養生方法、養生装置および鉄筋コンクリートの施工方法の実施の形態を示す概略説明図である。
【図２】図２は、本発明の実施例のコンクリート打設前後の躯体柱の写真図であり、（１）は打設前、（２）は打設時、（３）は打設後である。
【図３】図３は、従来のコンクリート打設割の一例を示す概略側断面図であり、（１）はラーメン高架橋の場合、（２）は橋脚の場合である。
【発明を実施するための形態】
【００１５】
以下に、本発明に係る鉄筋の養生方法、養生装置および鉄筋コンクリートの施工方法の実施の形態について、橋脚の躯体柱の施工に適用する場合を例にとり詳細に説明する。なお、この実施の形態によりこの発明が限定されるものではない。
【００１６】
（鉄筋の養生方法、養生装置）
まず、本発明に係る鉄筋の養生方法、養生装置の実施の形態について説明する。
【００１７】
図１（１）に示すように、躯体柱の鉄筋１０が上下方向に配筋されているものとする。破線（打設表面１２）よりも下側が、これからコンクリートを打設する下層側のコンクリート打設箇所Ａである。鉄筋１０は、コンクリート打設箇所Ａから上方（外側周辺）に突出している。
【００１８】
図１（２）に示すように、コンクリート打設前に、この鉄筋１０の周囲に養生装置１４を位置決め配置する。
【００１９】
この養生装置１４は、鉄筋１０にコンクリートが付着することを防止するための養生カバーであり、図１（３）に示すように、円筒を半割りしたカバー片１６を鉄筋１０の周囲に円筒状に組み付けて構成される。カバー片１６は、コンクリートの浸入を遮断可能な材質でできており、例えば塩化ビニルパイプなどの管材を半割りしたもので構成することができる。カバー片１６同士は隙間なく当接しているが、カバー片１６同士の接合部にガムテープ等を貼付して、コンクリートの浸入を確実に防止できるようにしてもよい。
【００２０】
ここで、養生装置１４は、打設表面１２（コンクリート天端）より若干高め（例えば数ｃｍ程度）の位置から、コンクリートのはね返りが予想される所定の高さＬ（例えば３０ｃｍ程度）の区間について配置することが好ましい。
【００２１】
次に、図１（４）に示すように、位置決めした養生装置１４の上端を、ガムテープ１８で鉄筋１０に接着固定する。一方、打設表面１２より数ｃｍ（例えば１ｃｍ程度）高めの位置Ｄの鉄筋１０にガムテープ１８を巻き、このガムテープ１８の上に養生装置１４を配置する。このようにすれば、コンクリート打設後に養生装置１４を撤去する際、養生装置１４下端に付着したコンクリートが打設表面１２の上側近傍の鉄筋１０に接触することを防止することができる。この場合、図に示すように、養生装置１４の下端を、ガムテープ１８で鉄筋１０に接着固定してもよい。
【００２２】
その後、打設ホース２０を通じてコンクリートをコンクリート打設箇所Ａに打設する。
【００２３】
次に、図１（５）に示すように、コンクリート打設後に、鉄筋１０から養生装置１４、ガムテープ１８を撤去する。このようにすることで、コンクリート打設箇所Ａの上側周辺に配筋された鉄筋１０に、コンクリート打設時のコンクリートが付着することを防止することができる。コンクリート打設後に鉄筋に付着したコンクリート等を除去清掃する手間が掛からないので、作業コストの抑制と工期の短縮化を図ることができる。
【００２４】
図２に、上記の手順で実施した本発明の実施例の写真を示す。図２（１）はコンクリート打設前、（２）はコンクリート打設時、（３）はコンクリート打設後である。図２（１）に示すように、本実施例の養生装置として、鉄筋の径よりも若干大径の養生カバー（長さＬ＝３０ｃｍ程度）を半割りで使用し、その上端をガムテープで鉄筋に固定した。打設後に養生カバーを鉄筋から取り外す際に、コンクリートと接触して鉄筋を汚さないように、コンクリート天端より１ｃｍ程度高めの位置（距離Ｄ）にガムテープを巻き、その上に養生カバーを配置した。
【００２５】
図２（２）、（３）に示すように、コンクリート打設後に、鉄筋へのコンクリートの付着や鉄筋の汚れは見られず、良好な仕上がりとなった。なお、本実施例の養生カバーは、別の打設箇所に複数回（例えば５回程度）転用可能である。
【００２６】
（鉄筋コンクリートの施工方法）
次に、本発明に係る鉄筋コンクリートの施工方法の実施の形態について説明する。
【００２７】
本実施の形態に係る鉄筋コンクリートの施工方法は、上述した鉄筋の養生方法を用いて橋脚の躯体柱（鉄筋コンクリート）を施工する方法である。本実施の形態では、まず、図１（１）〜（３）に示すように、コンクリート打設箇所Ａの上側周辺に配筋された鉄筋１０の周囲に養生装置１４を設置する。次に、図１（４）に示すように、鉄筋１０の周囲に養生装置１４が設置された状態で、コンクリート打設箇所Ａにコンクリートを打設する。次に、図１（５）に示すように、コンクリート打設後に、鉄筋１０の周囲から養生装置１４を撤去する。その後、養生装置１４が撤去された鉄筋１０の周囲にコンクリートを打設する。これにより、打設表面１２よりも上側（下層側のコンクリート打設箇所Ａの上側）に、新たな上層側のコンクリートが打設される。
【００２８】
このように、本実施の形態によれば、コンクリート打設箇所Ａ（下層側のコンクリート）の上側周辺に配筋された鉄筋１０に、コンクリート打設時のコンクリートが付着しない。コンクリート打設後に鉄筋に付着したコンクリート等を除去清掃する手間が掛からないので、作業コストの抑制と工期の短縮化を図ることができる。また、付着コンクリートによる脆弱部が発生しないため、後工程で鉄筋１０の周囲に打設される上層側のコンクリートの品質を確保することができる。
【００２９】
なお、上記の実施の形態においては、半割りしたカバー片１６を鉄筋１０の周囲に円筒状に組み付けた養生カバーの場合を例にとり説明したが、本発明の養生カバーはこれに限るものではない。例えば、半割りでなくてもよいし、鉄筋１０の周方向に３つ以上に分割されていて鉄筋１０に筒状に組み付けられる養生カバーでもよいし、鉄筋１０に巻回される帯状の養生カバーであってもよい。いずれにしてもコンクリート打設時のコンクリートが鉄筋１０に付着することを防止可能な構造であればいかなるものでもよい。
【００３０】
なお、上記の実施の形態においては、柱に上下方向に配筋した鉄筋（柱筋）を養生する場合を例にとり説明したが、本発明はこれに限るものではなく、例えば、壁に左右方向に配筋される壁筋等を養生する場合にも適用可能であり、この場合も上記と同様の作用効果を奏することができる。
【００３１】
以上説明したように、本発明に係る鉄筋の養生方法によれば、コンクリート打設箇所の外側周辺に配筋された鉄筋に、コンクリート打設によるコンクリートが付着することを防止するための養生方法であって、コンクリート打設前に、鉄筋の周囲にコンクリートの付着を防ぐための養生装置を設置するステップと、鉄筋の周囲に養生装置が設置された状態で、コンクリート打設箇所にコンクリートを打設するステップと、コンクリート打設後に、鉄筋の周囲から養生装置を撤去するステップとを備えるので、コンクリート打設箇所の外側周辺に配筋された鉄筋に、コンクリート打設時のコンクリートが付着することを防止することができる。
【００３２】
また、本発明に係る鉄筋の養生装置によれば、コンクリート打設箇所の外側周辺に配筋された鉄筋に、コンクリート打設によるコンクリートが付着することを防止するための養生装置であって、鉄筋の周方向に複数に分割されていて鉄筋の周囲に筒状に組み付けられる養生カバーからなるので、コンクリート打設箇所の外側周辺に配筋された鉄筋に、コンクリート打設時のコンクリートが付着することを防止することができる。
【００３３】
また、本発明に係る鉄筋コンクリートの施工方法によれば、上述した鉄筋の養生方法を用いて鉄筋コンクリートを施工する方法であって、コンクリート打設箇所の外側周辺に配筋された鉄筋の周囲に養生装置を設置するステップと、鉄筋の周囲に養生装置が設置された状態で、コンクリート打設箇所にコンクリートを打設するステップと、コンクリート打設後に、鉄筋の周囲から養生装置を撤去するステップと、養生装置が撤去された鉄筋の周囲を新たなコンクリート打設箇所としてコンクリートを打設するステップとを備えるので、コンクリート打設箇所の外側周辺に配筋された鉄筋に、コンクリート打設時のコンクリートが付着しない。付着コンクリートによる脆弱部が発生しないため、後工程で鉄筋の周囲に打設されるコンクリートの品質を確保することができる。
【産業上の利用可能性】
【００３４】
以上のように、本発明に係る鉄筋の養生方法、養生装置および鉄筋コンクリートの施工方法は、複数のブロックに分けてコンクリートを打設する鉄筋コンクリート構造物の施工に有用であり、特に、コンクリート打設箇所の外側周辺に配筋された鉄筋に、コンクリートが付着することを防止するのに適している。
【符号の説明】
【００３５】
１０  鉄筋
１２  打設表面（端部）
１４  養生装置
１６  カバー片
１８  ガムテープ
２０  打設ホース
Ａ  コンクリート打設箇所
【図１】
2019151992.tif 000003
【図２】
2019151992.tif 000004
【図３】
2019151992.tif 000005